(57)【要約】  セルのうちの少なくとも１つが、送信前にクリアチャネル評価（ＣＣＡ）を課すマルチキャリアシステムにおける、セル間の送信タイミング差分に関するシステムおよび方法が開示される。いくつかの実施形態において、ユーザ装置（ＵＥ）の動作方法は、第１のキャリア上で動作する第１のセルと、第２のキャリア上で動作する第２のセルとの間の送信タイミング差分Δを判定することを含み、ここで、ＵＥ（１８）が送信を許可される前に、第１のキャリアが位置する第１のチャネルと第２のキャリアが位置する第２のチャネルとのうちの少なくとも１つでＣＣＡが実行されるよう要求される。方法はさらに、ＵＥの１つ以上の動作タスクに対する送信タイミング差分を使用することを含む。送信タイミング差分は、第１のチャネルおよび第２のチャネルがＵＥにおいて利用可能である場合に判定される。
2019517211.tif 000002
【特許請求の範囲】
【請求項１】
ユーザ装置（ＵＥ）（１８）の動作方法であって、
第１のキャリア上で動作する第１のセル（１６）と、第２のキャリア上で動作する第２のセル（１６）との間の送信タイミング差分Δを判定することであって、前記第１のキャリアが位置する第１のチャネルと前記第２のキャリアが位置する第２のチャネルとのうちの少なくとも１つで、前記ＵＥ（１８）が送信を許可される前に、クリアチャネル評価（ＣＣＡ）が実行されるよう要求される、判定すること（１０４）と、
前記ＵＥ（１８）の１つ以上の動作タスクのために前記送信タイミング差分Δを使用すること（１０６）と、
を含み、
前記ＵＥ（１８）において前記第１のセル（１６）および前記第２のセル（１６）のそれぞれで前記第１のチャネルおよび前記第２のチャネルが信号の送信のために利用可能である場合に、前記送信タイミング差分Δが判定されることを特徴とする方法。
【請求項２】
請求項１に記載の方法であって、前記ＵＥ（１８）の前記１つ以上の動作タスクのために前記送信タイミング差分Δを使用すること（１０６）は、前記送信タイミング差分Δが閾値より大きい場合は、前記第１のセル（１６）および前記第２のセル（１６）の少なくとも１つにおける送信を停止することを含むことを特徴とする方法。
【請求項３】
請求項１に記載の方法であって、
前記ＵＥ（１８）が前記第１のセル（１６）上で送信が許可される前に、前記第１のキャリアが位置する前記第１のチャネル上でＣＣＡが実行されるよう要求され、
前記ＵＥ（１８）が前記第２のセル（１６）上で送信が許可される前に、前記第２のキャリアが位置する前記第２のチャネル上でＣＣＡが実行される必要はなく、
前記ＵＥ（１８）の前記１つ以上の動作タスクのために前記送信タイミング差分Δを使用すること（１０６）は、前記送信タイミング差分Δが閾値より大きい場合は、前記第１のセル（１６）における送信を停止することを含むことを特徴とする方法。
【請求項４】
請求項１に記載の方法であって、
前記ＵＥ（１８）が前記第１のセル（１６）上で送信が許可される前に、前記第１のキャリアが位置する前記第１のチャネル上でＣＣＡが実行されるよう要求され、
前記ＵＥ（１８）の前記１つ以上の動作タスクのために前記送信タイミング差分Δを使用すること（１０６）は、前記送信タイミング差分Δが閾値より大きい場合は前記第１のセル（１６）における送信を停止することを含むことを特徴とする方法。
【請求項５】
請求項２乃至４の何れか１項に記載の方法であって、前記第１のセル（１６）は前記ＵＥ（１８）のセカンダリセルとして設定され、前記第２のセル（１６）は前記ＵＥ（１８）のプライマリセルとして設定されることを特徴とする方法。
【請求項６】
請求項２乃至４の何れか１項に記載の方法であって、前記第１のセル（１６）は前記ＵＥ（１８）のセカンダリセルとして設定されて第１のタイミングアドバンスグループにあり、前記第２のセル（１６）は前記ＵＥ（１８）のプライマリセルとして設定されて第２のタイミングアドバンスグループにあることを特徴とする方法。
【請求項７】
請求項２乃至４の何れか１項に記載の方法であって、前記第１のセル（１６）は前記ＵＥ（１８）の第１のセカンダリセルとして設定され第１のタイミングアドバンスグループにあり、前記第２のセル（１６）は前記ＵＥ（１８）の第２のセカンダリセルとして設定され第２のタイミングアドバンスグループにあることを特徴とする方法。
【請求項８】
請求項１乃至７の何れか１項に記載の方法であって、前記送信タイミング差分Δを判定すること（１０４）は、前記第１のチャネルおよび前記第２のチャネルの両方が、前記第１のセル（１６）および前記第２のセル（１６）のそれぞれで前記ＵＥ（１８）によって送信のために利用可能である時に、前記送信タイミング差分Δを判定すること（１０４）を含むことを特徴とする方法。
【請求項９】
請求項１乃至７の何れか１項に記載の方法であって、前記送信タイミング差分Δを判定すること（１０４）は、前記第１のチャネルおよび前記第２のチャネルのうちの前記少なくとも１つに対するＣＣＡの結果であって、前記第１のチャネルおよび前記第２のチャネルのうちの前記少なくとも１つが前記ＵＥ（１８）による送信のために利用できるという前記ＣＣＡの結果が既知になった後、前記送信タイミング差分Δを判定すること（１０４）を含むことを特徴とする方法。
【請求項１０】
請求項１乃至７の何れか１項に記載の方法であって、前記送信タイミング差分Δを判定すること（１０４）は、前記第１のチャネルおよび前記第２のチャネルのうちの前記少なくとも１つに対するＣＣＡの結果であって、前記第１のチャネルおよび前記第２のチャネルのうちの前記少なくとも１つが前記ＵＥ（１８）による送信のために利用できないという前記ＣＣＡの結果が既知になった後、前記送信タイミング差分Δを判定しないこと（１０４）を含むことを特徴とする方法。
【請求項１１】
請求項１乃至７の何れか１項に記載の方法であって、前記送信タイミング差分Δを判定すること（１０４）は、ＣＣＡのための繰り延べ時間の間またはバックオフタイムの間に、前記送信タイミング差分Δを判定しないこと（１０４）を含むことを特徴とする方法。
【請求項１２】
請求項１乃至７の何れか１項に記載の方法であって、前記送信タイミング差分Δを判定すること（１０４）は、前記第１のセル（１６）および前記第２のセル（１６）のチャネル占有時間の間に、前記送信タイミング差分Δを判定すること（１０４）を含むことを特徴とする方法。
【請求項１３】
請求項１乃至７の何れか１項に記載の方法であって、前記送信タイミング差分Δを判定すること（１０４）は、送信タイミング差分Δが判定されるタイミングを、前記第１のチャネルおよび前記第２のチャネルのうちの前記少なくとも１つに対するＣＣＡの結果が、前記第１のチャネルおよび前記第２のチャネルのうちの前記少なくとも１つが前記ＵＥ（１８）による送信のために利用可能である、１つ以上のサブフレームに適用されることを含むことを特徴とする方法。
【請求項１４】
請求項１乃至１３の何れか１項に記載の方法であって、前記ＵＥ（１８）の前記１つ以上の動作タスクのために前記送信タイミング差分Δを使用すること（１０６）は、
前記送信タイミング差分Δが閾値より大きい場合に少なくとも１つのタスクを実行することと、
前記ＵＥ（１８）が前記少なくとも１つのタスクを実行したことをネットワークノードに通知することと、
を含むことを特徴とする方法。
【請求項１５】
請求項１乃至１４の何れか１項に記載の方法であって、前記第１のキャリアの前記第１のセル（１６）および前記第２のキャリアの前記第２のセル（１６）を含むセルのペアに対する前記送信タイミング差分Δのための少なくとも１つの要件および／または条件を取得すること（１００）をさらに含むことを特徴とする方法。
【請求項１６】
請求項１５に記載の方法であって、前記送信タイミング差分Δを判定すること（１０４）は、前記第１のキャリアの前記第１のセル（１６）および前記第２のキャリアの前記第２のセル（１６）を含むセルの前記ペアに対する、前記送信タイミング差分Δのための前記少なくとも１つの要件および／または条件に基づいて、前記第１のセル（１６）および前記第２のセル（１６）のそれぞれで信号の送信のために前記第１のチャネルおよび前記第２のチャネルが利用可能である時に、前記送信タイミング差分Δを判定すること（１０４）を含むことを特徴とする方法。
【請求項１７】
請求項１乃至１６の何れか１項に記載の方法であって、前記第１のキャリアの前記第１のセル（１６）および前記第２のキャリアの前記第２のセル（１６）を含むセルの少なくとも１つのペアに対する前記送信タイミング差分Δを判定する必要性を判定すること（１０２）をさらに含むことを特徴とする方法。
【請求項１８】
請求項１乃至１７の何れか１項に記載の方法であって、前記第１のキャリアおよび前記第２のキャリアは、バンド間キャリアアグリゲーションのために前記ＵＥ（１８）のために設定されたキャリアであることを特徴とする方法。
【請求項１９】
セルラ通信ネットワーク（１０）のためのユーザ装置（ＵＥ）（１８）であって、
第１のキャリア上で動作する第１のセルと、第２のキャリア上で動作する第２のセルとの間の送信タイミング差分Δを判定し、
前記ＵＥ（１８）の１つ以上の動作タスクのために前記送信タイミング差分Δを使用する、ように適合され、
前記ＵＥ（１８）が送信を許可される前に、前記第１のキャリアが位置する第１のチャネルと前記第２のキャリアが位置する第２のチャネルとのうちの少なくとも１つでクリアチャネル評価（ＣＣＡ）が実行されるよう要求され、
前記第１のセル（１６）および前記第２のセル（１６）のそれぞれで第１のチャネルおよび第２のチャネルが前記ＵＥ（１８）において信号の送信のために利用可能である場合に、前記送信タイミング差分Δが判定されることを特徴とするＵＥ（１８）。
【請求項２０】
請求項１９に記載のＵＥ（１８）であって、前記ＵＥ（１８）は、請求項２乃至１８の何れか１項に記載の方法を実行するようさらに適合されることを特徴とするＵＥ（１８）。
【請求項２１】
セルラ通信ネットワーク（１０）のためのユーザ装置（ＵＥ）（１８）であって、
１つ以上のプロセッサ（５８）と、
前記１つ以上のプロセッサ（５８）によって実行可能な命令を格納するメモリ（６０）であって、前記ＵＥ（１８）は、
第１のキャリア上で動作する第１のセル（１６）と、第２のキャリア上で動作する第２のセル（１６）との間の送信タイミング差分Δを判定し、
前記ＵＥ（１８）の１つ以上の動作タスクのために前記送信タイミング差分Δを使用する、よう動作可能であり、
前記ＵＥ（１８）が送信を許可される前に、前記第１のキャリアが位置する第１のチャネルと前記第２のキャリアが位置する第２のチャネルとのうちの少なくとも１つでクリアチャネル評価（ＣＣＡ）が実行されるよう要求され、
前記第１のセル（１６）および前記第２のセル（１６）のそれぞれで第１のチャネルおよび第２のチャネルが前記ＵＥ（１８）において信号の送信のために利用可能である場合に、前記送信タイミング差分Δが判定されることを特徴とするＵＥ（１８）。
【請求項２２】
セルラ通信ネットワーク（１０）のためのユーザ装置（ＵＥ）（１８）であって、
第１のキャリア上で動作する第１のセル（１６）と、第２のキャリア上で動作する第２のセル（１６）との間の送信タイミング差分Δを判定するよう動作可能な判定モジュールであって、前記ＵＥ（１８）が送信を許可される前に、前記第１のキャリアが位置する第１のチャネルと前記第２のキャリアが位置する第２のチャネルとのうちの少なくとも１つでクリアチャネル評価（ＣＣＡ）が実行されるよう要求される、判定モジュール（７０−３）と、
前記ＵＥ（１８）の１つ以上の動作タスクのために前記送信タイミング差分Δを使用するよう動作可能な使用モジュール（７０−４）と、を備え、
前記第１のセル（１６）および前記第２のセル（１６）のそれぞれで第１のチャネルおよび第２のチャネルが前記ＵＥ（１８）において信号の送信のために利用可能である場合に、前記送信タイミング差分Δが判定されることを特徴とするＵＥ（１８）。
【請求項２３】
セルラ通信ネットワーク（１０）におけるノード（１４）の動作方法であって、
ユーザ装置（ＵＥ）（１８）において、第１のセル（１６）および第２のセル（１６）のそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得すること（２００）と、
前記送信タイミング差分Δが所定の閾値を超えるリスクを避けるまたは減らすために、セル／キャリアの前記ペアのうちの少なくとも１つがアップリンクのクリアチャネル評価（ＣＣＡ）を課す場合、送信タイミング差分Δに、または前記１つ以上の要件もしくは前記１つ以上の条件の適用性に影響を与える１つ以上のファクタを制御すること（２０２）と、を含むことを特徴とする方法。
【請求項２４】
請求項２３に記載の方法であって、前記送信タイミング差分Δに、または前記１つ以上の要件もしくは前記１つ以上の条件の前記適用性に影響を与える前記１つ以上のファクタを制御すること（２０２）は、
アップリンク送信のスケジューリングを適合させることと、
前記第１のセル（１６）の第１のキャリアおよび前記第２のセル（１６）の第２のキャリアにおける同時送信のスケジューリングを避けるようアップリンク送信のスケジューリングを適合させることと、
ダウンリンク送信のスケジューリングを適合させて関連するアップリンク送信の時間を制御することと、
アップリンクＣＣＡ設定に関連する少なくとも１つのパラメータを適合させることと、
適用性を制御することと、
前記１つ以上の要件の適用性のための要件が適用不可能にされるように、１つ以上のファクタを変更することと、のうちの１つ以上を含むことを特徴とする方法。
【請求項２５】
セルラ通信ネットワーク（１０）のノード（１４）であって、
第１のセル（１６）および第２のセル（１６）のそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得し、
前記送信タイミング差分が所定の閾値を超えるリスクを避けるまたは減らすために、セル／キャリアの前記ペアのうちの少なくとも１つがアップリンクのクリアチャネル評価（ＣＣＡ）を課す場合、送信タイミング差分Δに、または前記１つ以上の要件もしくは前記１つ以上の条件の適用性に影響を与える１つ以上のファクタを制御する、よう適合されることを特徴とするノード（１４）。
【請求項２６】
請求項２５に記載のノード（１４）であって、請求項２４に記載の方法を実行するようさらに適合されることを特徴とするノード（１４）。
【請求項２７】
セルラ通信ネットワーク（１０）のノード（２７）であって、
１つ以上のプロセッサ（３０、４８）と、
前記１つ以上のプロセッサ（３０、４８）によって実行可能な命令であって、これによって前記ノード（２７）は、
第１のセル（１６）および第２のセル（１６）のそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得し、
前記送信タイミング差分Δが所定の閾値を超えるリスクを避けるまたは減らすために、セル／キャリアの前記ペアのうちの少なくとも１つがアップリンクのクリアチャネル評価（ＣＣＡ）を課す場合、送信タイミング差分に、または前記１つ以上の要件もしくは前記１つ以上の条件の適用性に影響を与える１つ以上のファクタを制御する、よう動作可能である前記命令を格納するメモリ（３２、５０）ことを特徴とするノード（１４）。
【請求項２８】
セルラ通信ネットワーク（１０）のノード（２７）であって、
第１のセル（１６）および第２のセル（１６）のそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得するよう動作可能な取得モジュール（５６−１）と、
前記送信タイミング差分Δが所定の閾値を超えるリスクを避けるまたは減らすために、セル／キャリアの前記ペアのうちの少なくとも１つがアップリンクのクリアチャネル評価（ＣＣＡ）を課す場合、送信タイミング差分に、または前記１つ以上の要件もしくは前記１つ以上の条件の適用性に影響を与える１つ以上のファクタを制御するよう動作可能な制御モジュール（５６−２）と、を備えることを特徴とするノード（２７）。
【発明の詳細な説明】
【技術分野】
【０００１】
本開示は、少なくとも１つのキャリアが送信前にクリアチャネル評価（ＣＣＡ）（例えばＬｉｓｔｅｎ−Ｂｅｆｏｒｅ−Ｔａｌｋ（ＬＢＴ））を課すキャリアアグリゲーション（ＣＡ）を利用するマルチキャリアシステムにおけるアップリンクの送信タイミング差分を取得することおよび使用することに関連する。
【０００２】
［関連ケースの相互参照］
本出願は、２０１６年５月２３日に出願された米国仮特許出願第６２／３４０１９６号の利益を主張するものであり、その開示内容全体が参照により本明細書に組み込まれる。
【背景技術】
【０００３】
＜マルチキャリアシステム＞
マルチキャリアまたはキャリアアグリゲーション（ＣＡ）の動作において、ユーザ装置（ＵＥ）は２つ以上のサービングセルからデータを受信および／または送信することができる。言い換えれば、ＣＡが可能なＵＥは２つ以上のサービングセルと動作するよう設定されうる。各サービングセルのキャリアは一般にコンポーネントキャリア（ＣＣ）と呼ばれる。簡単な言葉で、ＣＣはマルチキャリアシステムにおける個別のキャリアを意味する。用語「ＣＡ」は、「マルチキャリアシステム」、「マルチセル動作」、「マルチキャリア動作」および「マルチキャリア」送信および／または受信とも（例えば区別することなく）呼ばれる。これは、アップリンクおよびダウンリンク方向におけるシグナリングおよびデータの送信のためにＣＡが使用されることを意味する。ＣＣの１つはプライマリＣＣ（ＰＣＣ）、または単純にプライマリキャリアであり、アンカーキャリアとも呼ばれうる。残りのＣＣはセカンダリＣＣ（ＳＣＣ）、または単純にセカンダリキャリアもしくは補助キャリアと呼ばれる。サービングセルは区別することなくプライマリセル（ＰＣｅｌｌ）またはプライマリサービングセル（ＰＳＣ）と呼ばれる。同様に、セカンダリサービングセルは区別することなくセカンダリセル（ＳＣｅｌｌ）またはセカンダリサービングセル（ＳＳＣ）と呼ばれる。
【０００４】
一般的に、プライマリまたはアンカーＣＣは必要不可欠なＵＥ特有のシグナリングを搬送する。ＰＣＣまたはＰＣｅｌｌとしても知られるプライマリＣＣはＣＡのアップリンクとダウンリンクの両方向に存在する。単一のアップリンクＣＣが存在する場合、ＰＣｅｌｌは明らかに当該ＣＣ上にある。ネットワークは同一のセクタまたはセル内の異なるＵＥに対して、異なるプライマリキャリアを割当ててもよい。
【０００５】
同時接続（デュアルコネクティビティ）（ＤＣ）動作において、ＵＥはマスター発展型または拡張型ノードＢ（ｅＮＢ）（ＭｅＮＢ）およびセカンダリｅＮＢ（ＳｅＮＢ）と呼ばれる少なくとも２つのノードによってサービスを提供されうる。より一般的には、マルチコネクティビティとしても知られる複数接続動作において、ＵＥは、例えばＭｅＮＢ、ＳｅＮＢ１、ＳｅＮＢ２、およびそのような２以上のノードによってサービスを提供されうる。ＵＥは、ＭｅＮＢおよびＳｅＮＢの両方からＰＣＣで設定される。ＭｅＮＢおよびＳｅＮＢのうちのＰＣｅｌｌはそれぞれＰＣｅｌｌおよびプライマリセカンダリセル（ＰＳＣｅｌｌ）と呼ばれる。ＰＣｅｌｌおよびＰＳＣｅｌｌは通常、ＵＥを独立して動作させる。ＵＥは、ＭｅＮＢおよびＳｅＮＢのそれぞれのうちの１つ以上のＳＣＣで設定されてもよい。ＭｅＮＢおよびＳｅＮＢによってサービスを提供される対応するＳＳＣはＳＣｅｌｌと呼ばれる。ＤＣのＵＥは、典型的には、ＭｅＮＢおよびＳｅＮＢの接続のそれぞれに対して個別の送信器／受信器（ＴＸ／ＲＸ）を有する。これによって、ＭｅＮＢおよびＳｅＮＢが、例えば無線リンクモニタリング（ＲＬＭ）、間欠受信（ＤＲＸ）サイクルなど、ＰＣｅｌｌおよびＰＳＣｅｌｌのそれぞれにおける１つ以上の手順でＵＥを独立して設定することを可能とする。
【０００６】
マルチキャリアシステムはライセンスおよび／またはアンライセンススペクトラムのキャリアに関わりうる。
【０００７】
＜Ｌｉｃｅｎｓｅ  Ａｓｓｉｓｔｅｄ  Ａｃｃｅｓｓ（ＬＡＡ）およびフレーム構造タイプ３（ＦＳ３）＞
ＬＡＡ、またはＬｏｎｇ  Ｔｅｒｍ  Ｅｖｏｌｕｔｉｏｎ（ＬＴＥ）リリース１３で導入された第３世代パートナーシッププロジェクト（３ＧＰＰ）技術仕様書（ＴＳ）３６．２１１に指定されたＦＳ３に基づく動作は、バンド４６としてＷｉＦｉアクセスにも使用されるアンライセンススペクトルにおける少なくとも１つのキャリアにおけるＵＥの動作を指す。例えば、ＵＥはライセンススペクトラムにあるバンド１のＰＣｅｌｌと、アンライセンススペクトラムにあるバンド４６のＳＣｅｌｌとでＣＡを設定されうる。アンライセンスバンドで動作しているｅＮＢはディスカバリ参照シンボル（ＤＲＳ）と呼ばれるものを使用してＵＥの測定のために使用されうる信号を送信する。リリース８の共通参照シンボル（ＣＲＳ）とは異なり、ＤＲＳはサブフレームごとには送信されず、代わりに定期的に送信される（例えば１６０ミリ秒（ｍｓ）ごと）。さらに、ｅＮＢは、ＤＲＳを送信する前に、別のｅＮＢまたはＷｉＦｉアクセスポイントのような他ノードがアンライセンススペクトラムで送信していないかを確認するために、いわゆるＬｉｓｔｅｎ−Ｂｅｆｏｒｅ−Ｔａｌｋ（ＬＢＴ）手順と呼ばれるものを実行しうる。これは、ＵＥの観点からは、ｅＮＢがいかなる特定のＤＲＳ送信も送信できなくてもよいということを意味する。特定の地域では、ＬＢＴ機能は、アンライセンスバンド上の異なる無線およびアクセス技術の公平な共存を確かにするために規制の観点から必要とされている。
【０００８】
リリース１４において、上述したようなアンライセンススペクトラムでのダウンリンク動作に加え、アップリンク動作もまた導入されている。これは、アンライセンススペクトル内の１つ以上のＳＣｅｌｌ上でアップリンク送信を用いてＵＥを設定し、必要に応じてアップリンクＬＢＴを実行することができることを意味する。
【０００９】
＜ＬＢＴ＞
ＬＢＴ手順によれば、アンライセンススペクトラムの送信機（例えば下りリンクにおけるｅＮＢもしくは基地局またはアップリンクにおけるＵＥ）は送信を開始する前にキャリア上で聞き耳を立てる（リスニングする）必要がある。メディアがフリーである場合、送信機は送信でき、これはしばしばＬＢＴが成功していると称される。反対に、メディアがビジーである場合、例えばある他ノードが送信している場合、送信機は送信できず、これはＬＢＴが失敗または障害があると称され、この場合、送信機は後で再度試行することができる。従って、ＬＢＴ手順は、チャネルを使用する前のクリアチャネル評価（ＣＣＡ）チェックを可能にする。ＣＣＡに基づいて、チャネルがクリアであると判明した場合、ＬＢＴは成功したとみなされる。しかしながらチャネルが占有されていると判明した場合、ＬＢＴは失敗したとみなされ、これはＬＢＴ失敗としても知られる。ＬＢＴ失敗はネットワークが同一および／または後続のサブフレームにおいて信号を送信しないよう要求する。送信が禁止されている正確なサブフレームおよびサブフレームの数はＬＢＴ方式の特定の設計に依存する。
【００１０】
ＬＢＴに起因し、アンライセンスバンドにおける送信は、メディアが再度フリーになるまで遅延されうる。送信ノード間の協調がない多くの場合、遅延はランダムに見えうる。
【００１１】
最も単純な形式では、ＬＢＴは所定の時間単位と等しい周期、一例としては、１つの持続時間単位、すなわち１つの送信時間間隔（ＴＴＩ）、１つのタイムスロット、１つのサブフレームなどで定期的に実行される。ＬＢＴにおけるリスニングの持続時間は通常、数マイクロ秒から数十マイクロ秒（μｓ）である。通常、ＬＢＴの目的のために、各ＬＴＥサブフレームは２つの部分に分割される。チャネルがフリーであるように見える場合には、リスニングは第１の部分で行われ、データは第２の部分で送信される。リスニングは、現在のサブフレームの初めに行われ、データ送信がこのサブフレームと後続のいくつかのサブフレームで継続するかどうかを決定する。さらに、サブフレームＰにおけるサブフレームＰ＋ｎまでのデータ送信は、サブフレームＰの始まりの間のリスニングの結果によって判定される。数ｎはシステムデザインおよび／または規制の要件に依存する。
【００１２】
図１はＬＢＴ手順に関する異なるステージの例示的なシーケンスを示し、ここで「ｓ」はセンシング期間である。図１において、チャネルがビジーであると判定された場合、いくらかの繰り延べ時間の後、ＵＥはチャネルが利用可能であるかどうかを判断するために、チャネル上で再度感知しようと試みてもよい。チャネルが利用可能であると判定された場合、いくらかのバックオフタイムの後、ＵＥは、地域に応じて例えば最大１０ｍｓであり得る最大チャネル占有時間（ＭＣＯＴ）より短い、ＵＥのチャネル占有時間の間に、アップリンクバーストの送信を開始してもよい。
【００１３】
＜ＬＴＥの一般的なＣＡにおける最大アップリンク送信タイミング差分＞
ＵＥは、ネットワークから受信したタイミングアドバンス（ＴＡ）コマンドに基づいてその送信タイミングを調整し、また自律送信タイミング調整を実行してもよい。
【００１４】
受信したＴＡコマンドに基づくタイミング調整が２つのＴＡグループ（ＴＡＧ）（プライマリＴＡＧ（ｐＴＡＧ）とセカンダリＴＡＧ（ｓＴＡＧ）と、または任意の２つのｓＴＡＧ）の間の過度の送信タイミング差をもたらす（すなわち、最大送信タイミング差分の要件を超える）場合、現在の規格の文章から以下に見られるように、ＵＥはその送信を停止することが許される。２つのＴＡＧ間の最大送信タイミング差分の要件は、バンド間およびバンド内ＣＡについては３２．４７μｓである。
＝＝＝＝＝ＴＳ  ３６．１３３  Ｖ１３．３．０  セクション７．９．２＝＝＝＝＝
ｐＴＡＧおよびｓＴＡＧで設定されたＵＥは、受信されたＴＡコマンドに起因するタイミング調整後にＰＣｅｌｌとＳＣｅｌｌとの間のアップリンク送信タイミング差分が上述のようにＵＥが処理できる最大値を超える場合、ＳＣｅｌｌでの送信を停止してもよい。
...
２つのｓＴＡＧで設定されたＵＥは、受信されたＴＡコマンドに起因するタイミング調整後に一方のｓＴＡＧのＳＣｅｌｌと他方のｓＴＡＧのＳＣｅｌｌとの間のアップリンク送信タイミング差分が上述のようにＵＥが処理できる最大値を超える場合、ＳＣｅｌｌでの送信を停止してもよい。
＝＝＝＝＝＝＝＝＝＝＝＝＝＝＝＝＝＝＝＝＝＝＝＝＝＝＝＝＝＝＝＝＝＝＝
【００１５】
＜ＤＣ＞
ＤＣにおいて、ＵＥはｐＴＡＧおよびプライマリセカンダリＴＡＧ（ｐｓＴＡＧ）で設定される。ｐＴＡＧはＰＣｅｌｌを含むべきであり、設定された場合には１つのＳＣｅｌｌを含みうる。ｐｓＴＡＧはＰＳＣｅｌｌを含むべきであり、設定された場合には１つのＳＣｅｌｌを含みうる。
【００１６】
ＵＥは、同期ＤＣが可能であることをＵＥが示している限り、ＰＣｅｌｌとＰＳＣｅｌｌとの間の少なくとも３５．２１μｓの最大アップリンク送信タイミング差分を処理することができなければならない。同期ＤＣに対する要求は、時分割複信（ＴＤＤ）−ＴＤＤ、周波数分割複信（ＦＤＤ）−ＦＤＤ、およびＴＤＤ−ＦＤＤのバンド間ＤＣに対してのみ適用可能である。
【００１７】
ＵＥは、非同期ＤＣが可能であることをＵＥが示している限り、ＰＣｅｌｌとＰＳＣｅｌｌとの間の少なくとも５００μｓの最大アップリンク送信タイミング差分を処理することができなければならない。非同期ＤＣに対する要求は、ＦＤＤ−ＦＤＤおよびバンド間ＤＣに対してのみ適用可能である。
【００１８】
ＵＥが上位レイヤのパラメータｐｏｗｅｒＣｏｎｔｒｏｌＭｏｄｅ  ＜１＞で設定されている場合、アップリンク送信タイミング差分が３５．２１μｓを超えると、ＵＥはＰＳＣｅｌｌでの送信を停止することができる。ＵＥが同期ＤＣと非同期ＤＣの両方をサポートし、ＵＥが上位レイヤのパラメータｐｏｗｅｒＣｏｎｔｒｏｌＭｏｄｅ＜２＞で設定されている場合、アップリンク送信タイミング差分が５００μｓを超える場合、ＵＥは新しいサブフレームペアを構成する必要がある。
【発明の概要】
【００１９】
セルのうちの少なくとも１つが、送信前にクリアチャネル評価（ＣＣＡ）を課すマルチキャリアシステムにおける、セル間の送信タイミング差分Δに関するシステムおよび方法が開示される。いくつかの実施形態において、ユーザ装置（ＵＥ）の動作方法は、第１のキャリア上で動作する第１のセルと、第２のキャリア上で動作する第２のセルとの間の送信タイミング差分Δを判定することであって、ＵＥ（１８）が送信を許可される前に、第１のキャリアが位置する第１のチャネルと第２のキャリアが位置する第２のチャネルとのうちの少なくとも１つでＣＣＡが実行されるよう要求される、判定することを含む。方法はさらに、ＵＥの１つ以上の動作タスクに対して送信タイミング差分を使用することを含む。前記送信タイミング差分Δは、第１のセルおよび第２のセルのそれぞれで第１のチャネルおよび第２のチャネルがＵＥ（１８）において信号の送信のために利用可能である場合に判定される。送信タイミング差分Δであって、第１および第２のチャネルが利用可能である場合に判定される送信タイミング差分を使用することにより、ＵＥは、適切なタスクが実行されるように、送信タイミング差分Δがセル間の実際の送信タイミング差分を正確に反映したものであることを保証することを可能にする。
【００２０】
いくつかの実施形態において、ＵＥの１つ以上の動作タスクのために送信タイミング差分Δを使用することは、送信タイミング差分Δが閾値より大きい場合は、第１のセルおよび前記第２のセルの少なくとも１つにおける送信を停止することを含む。
【００２１】
いくつかの実施形態において、ＵＥが第１のセル上で送信することを許可される前に、第１のキャリアが位置する第１のチャネル上でＣＣＡを実行することが要求され、ＵＥが第２のセル上で送信することを許可される前に、第２のキャリアが位置する第２のチャネル上でＣＣＡを実行することは求められず、ＵＥの１つ以上の動作タスクに対して送信タイミング差分Δを用いることは、送信タイミング差分Δが閾値より大きい場合には第１のセル上での送信を停止することを含む。
【００２２】
いくつかの実施形態において、ＵＥが第１のセル上で送信することを許可される前に、第１のキャリアが位置する第１のチャネル上でＣＣＡを実行することが要求され、ＵＥの１つ以上の動作タスクに対して送信タイミング差分Δを用いることは、送信タイミング差分Δが閾値より大きい場合には第１のセル上での送信を停止することを含む。
【００２３】
いくつかの実施形態において、第１のセルはＵＥのセカンダリセルとして設定され、第２のセルはＵＥのプライマリセル（ＰＣｅｌｌ）として設定される。
【００２４】
いくつかの実施形態において、第１のセルはＵＥのセカンダリセル（ＳＣｅｌｌ）として設定されて第１のタイミングアドバンスグループ（ＴＡＧ）内にあり、第２のセルはＵＥのＰＣｅｌｌとして設定されて第２のＴＡＧ内にある。
【００２５】
いくつかの実施形態において、第１のセルはＵＥの第１のＳＣｅｌｌとして設定されて第１のＴＡＧ内にあり、第２のセルはＵＥの第２のＳＣｅｌｌとして設定されて第２のＴＡＧ内にある。
【００２６】
いくつかの実施形態において、送信タイミング差分Δを判定することは、第１のチャネルおよび第２のチャネルが、第１のセルおよび第２のセルのそれぞれでＵＥによって送信のために利用可能である場合に、送信タイミング差分Δを判定することを含む。
【００２７】
いくつかの実施形態において、送信タイミング差分Δを判定することは、第１のチャネルおよび第２のチャネルのうちの少なくとも１つに対するＣＣＡの結果であって、第１のチャネルおよび第２のチャネルのうちの少なくとも１つがＵＥによる送信のために利用可能である、ＣＣＡの結果が既知になった後、送信タイミング差分Δを判定することを含む。
【００２８】
いくつかの実施形態において、送信タイミング差分Δを判定することは、第１のチャネルおよび第２のチャネルのうちの少なくとも１つに対するＣＣＡの結果であって、第１のチャネルおよび第２のチャネルのうちの少なくとも１つがＵＥによる送信のために利用可能でないという、ＣＣＡの結果が既知になった後、送信タイミング差分Δを判定しないことを含む。
【００２９】
いくつかの実施形態において、送信タイミング差分Δを判定することは、ＣＣＡのための繰り延べ時間の間またはバックオフタイムの間に、送信タイミング差分Δを判定しないことを含む。
【００３０】
いくつかの実施形態において、送信タイミング差分Δを判定することは、第１のセルおよび第２のセルのチャネル占有時間の間に、送信タイミング差分Δを判定することを含む。
【００３１】
いくつかの実施形態において、送信タイミング差分Δを判定することは、送信タイミング差分Δが判定される時間を、第１のチャネルおよび第２のチャネルのうちの少なくとも１つに対するＣＣＡの結果が、第１のチャネルおよび第２のチャネルのうちの少なくとも１つがＵＥによる送信のために利用可能である、１つ以上のサブフレームに適用されることを含む。
【００３２】
いくつかの実施形態において、ＵＥの１つ以上の動作タスクに対して送信タイミング差分Δを使用することは、送信タイミング差分Δが閾値より大きい場合に少なくとも１つのタスクを実行することと、ＵＥが少なくとも１つのタスクを実行したことをネットワークノードに通知することとを含む。
【００３３】
いくつかの実施形態において、方法はさらに、第１のキャリアの第１のセルおよび第２のキャリアの第２のセルを含むセルのペアに対して、送信タイミング差分Δのための少なくとも１つの要件および／または条件を取得することを含む。さらに、いくつかの実施形態において、送信タイミング差分Δを判定することは、第１のキャリアの第１のセルおよび第２のキャリアの第２のセルを含むセルのペアに対して、送信タイミング差分Δのための少なくとも１つの要件および／または条件に基づいて、第１のセルおよび第２のセルのそれぞれで信号の送信のために第１のチャネルおよび第２のチャネルが利用可能である場合、送信タイミング差分Δを判定することを含む。
【００３４】
いくつかの実施形態において、方法はさらに、第１のキャリアの第１のセルおよび第２のキャリアの第２のセルを含むセルの少なくとも１つのペアに対して、送信タイミング差分Δを判定する必要性を判定することを含む。
【００３５】
いくつかの実施形態において、第１のキャリアおよび第２のキャリアはバンド間のキャリアアグリゲーション（ＣＡ）のためのＵＥのために設定されたキャリアである。
【００３６】
セルラ通信ネットワークのためのＵＥの実施形態もまた開示される。いくつかの実施形態において、ＵＥは、第１のキャリア上で動作する第１のセルと、第２のキャリア上で動作する第２のセルとの間の送信タイミング差分Δを判定することであって、ＵＥ（１８）が送信を許可される前に、第１のキャリアが位置する第１のチャネルと第２のキャリアが位置する第２のチャネルとのうちの少なくとも１つでＣＣＡが実行されるよう要求される、判定するよう適合される。ＵＥはさらに、ＵＥの１つ以上の動作タスクに対して送信タイミング差分を使用するよう適合される。送信タイミング差分Δは、第１のセルおよび第２のセルのそれぞれで第１のチャネルおよび第２のチャネルがＵＥにおいて信号の送信のために利用可能である場合に判定される。
【００３７】
いくつかの実施形態において、ＵＥはさらに、本明細書で説明される実施形態のいずれかに係るＵＥの動作の方法を実行するよう適合される。
【００３８】
いくつかの実施形態において、セルラ通信ネットワークのためのＵＥは、１つ以上のプロセッサおよび当該１つ以上のプロセッサによって実行可能な命令を格納するメモリを備え、これによって、ＵＥは（ａ）第１のキャリア上で動作する第１のセルと、第２のキャリア上で動作する第２のセルとの間の送信タイミング差分Δであって、ＵＥ（１８）が送信を許可される前に、第１のキャリアが位置する第１のチャネルと第２のキャリアが位置する第２のチャネルとのうちの少なくとも１つでＣＣＡが実行されるよう要求される、送信タイミング差分Δを判定し、（ｂ）ＵＥの１つ以上の動作タスクのために送信タイミング差分Δを使用する、よう動作可能である。送信タイミング差分Δは、第１のセルおよび第２のセルのそれぞれで第１のチャネルおよび第２のチャネルがＵＥにおいて信号の送信のために利用可能である場合に判定される。
【００３９】
いくつかの実施形態において、セルラ通信ネットワークのためのＵＥは判定モジュールおよび使用モジュールを備える。判定モジュールは、第１のキャリア上で動作する第１のセルと、第２のキャリア上で動作する第２のセルとの間の送信タイミング差分Δを判定することであって、ＵＥが送信を許可される前に、第１のキャリアが位置する第１のチャネルと第２のキャリアが位置する第２のチャネルとのうちの少なくとも１つでＣＣＡが実行されるよう要求される、判定するよう動作可能である。使用モジュールは、ＵＥの１つ以上の動作タスクのために送信タイミング差分Δを使用するよう動作可能である。送信タイミング差分Δは、第１のセルおよび第２のセルのそれぞれで第１のチャネルおよび第２のチャネルがＵＥにおいて信号の送信のために利用可能である場合に判定される。
【００４０】
セルラ通信ネットワークにおけるノードの動作方法の実施形態もまた開示される。いくつかの実施形態では、ノードの動作方法は、第１のセルおよび第２のセルのそれぞれで第１のチャネルおよび第２のチャネルがアップリンク信号の送信に利用可能である場合に、セル／キャリアのペアに対する送信タイミング差分Δに関する１つ以上の要件または１つ以上の条件を取得することを含む。方法はさらに、送信タイミング差分Δが所定の閾値を超えるリスクを避けるまたは減らすために、セル／キャリアのペアのうちの少なくとも１つがアップリンクのＣＣＡを課す場合、送信タイミング差分に、または１つ以上の要件もしくは１つ以上の条件の適用性に影響を与える１つ以上のファクタを制御することを含む。
【００４１】
いくつかの実施形態において、送信タイミング差分に、または１つ以上の要件もしくは１つ以上の条件の適用性に影響を与える１つ以上のファクタを制御することは、アップリンク送信のスケジューリングを適合させることと、第１のセルの第１のキャリアと第２のセルの第２のキャリア上での同時送信のスケジューリングを避けるようにアップリンク送信のスケジューリングを適合させることと、関連するアップリンク送信の時間を制御するようダウンリンク送信のスケジューリングを適合させることと、アップリンクＣＣＡ設定に関する少なくとも１つのパラメータを適合させることと、１つ以上の要件のうちの少なくとも１つの適用性に対する要件が適用不可能となるように、１つ以上のファクタを変更することと、のうちの１つ以上を含む。
【００４２】
いくつかの実施形態では、セルラ通信ネットワークのためのノードは、第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得するよう適合される。ノードはさらに、送信タイミング差分Δが所定の閾値を超えるリスクを避けるまたは減らすために、セル／キャリアのペアのうちの少なくとも１つがアップリンクのＣＣＡを課す場合、送信タイミング差分または１つ以上の要件もしくは１つ以上の条件の適用性に影響を与える１つ以上のファクタを制御するよう適合される。
【００４３】
いくつかの実施形態において、ノードはさらに、本明細書で説明される実施形態のいずれかに係るノードの動作の方法を実行するよう適合される。
【００４４】
いくつかの実施形態において、セルラ通信ネットワークのためのノードは１つ以上のプロセッサと当該１つ以上のプロセッサによって実行可能な命令を格納するメモリとを備え、これによってノードは、（ａ）第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得し、（ｂ）送信タイミング差分Δが所定の閾値を超えるリスクを避けるまたは減らすために、セル／キャリアのペアのうちの少なくとも１つがアップリンクのＣＣＡを課す場合、送信タイミング差分または１つ以上の要件または１つ以上の条件の適用性に影響を与える１つ以上のファクタを制御する、ように動作可能である。
【００４５】
いくつかの実施形態において、セルラ通信ネットワークのためのノードは取得モジュールおよび制御モジュールを備える。取得モジュールは、第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得するよう動作可能である。制御モジュールは、送信タイミング差分Δが所定の閾値を超えるリスクを避けるまたは減らすために、セル／キャリアのペアのうちの少なくとも１つがアップリンクのＣＣＡを課す場合、送信タイミング差分に、または１つ以上の要件もしくは１つ以上の条件の適用性に影響を与える１つ以上のファクタを制御するよう動作可能である。
【００４６】
当業者は、添付図面に関連付けて実施形態の以下の詳細な説明を読んだ後に、本開示の範囲を理解し、そのさらなる態様を理解するであろう。
【図面の簡単な説明】
【００４７】
本明細書に組み込まれてその一部を形成する添付図面は、本開示のいくつかの態様を例示しており、本明細書と共に本開示の原理を説明するのに役立つ。
【００４８】
【図１】Ｌｉｓｔｅｎ−Ｂｅｆｏｒｅ−Ｔａｌｋ（ＬＢＴ）手順に関する異なるステージの例示的なシーケンスを示し、ここで「ｓ」はセンシング期間である。
【００４９】
【図２】本開示のいくつかの実施形態に係るユーザ装置（ＵＥ）デバイスの動作方法を示すフローチャートである。
【００５０】
【図３】本開示のいくつかの実施形態に係るネットワークノードの動作方法を示すフローチャートである。
【００５１】
【図４】本開示の実施形態が実施されうるセルラ通信ネットワークの一例を示す。
【００５２】
【図５】ネットワークノードの例示的な実施形態のブロック図である。
【図６】ネットワークノードの例示的な実施形態のブロック図である。
【図７】ネットワークノードの例示的な実施形態のブロック図である。
【００５３】
【図８】ＵＥの例示的な実施形態のブロック図である。
【図９】ＵＥの例示的な実施形態のブロック図である。
【発明を実施するための形態】
【００５４】
以下に述べる実施形態は、当業者が実施形態を実施することを可能にし、実施形態を実施する最良の形態を示すことを可能にするための情報を表す。添付図面に照らして以下の説明を読めば、当業者は本開示の概念を理解し、本明細書では特に言及されていないこれらの概念の適用を認識するであろう。これらの概念および用途は、本開示および添付の特許請求の範囲内にあることを理解されたい。
【００５５】
＜一般化＞
本明細書で説明される任意の２以上の実施形態は、互いに任意の方法で組み合わせることができる。さらに、本明細書における例はＬｉｃｅｎｓｅ  Ａｓｓｉｓｔｅｄ  Ａｃｃｅｓｓ（ＬＡＡ）の文脈で与えられるものの、本明細書で説明される実施形態はＬＡＡに限定されない。説明される実施形態はＬｏｎｇ  Ｔｅｒｍ  Ｅｖｏｌｕｔｉｏｎにも限定されず、Ｕｎｉｖｅｒｓａｌ  Ｔｅｒｒｅｓｔｒｉａｌ  Ｒａｄｉｏ  Ａｃｃｅｓｓ（ＵＴＲＡ）、ＬＴＥ−Ａｄｖａｎｃｅｄ、第五世代（５Ｇ）、次世代５Ｇ  ＲＡＴ（ＮＸ）、狭帯域Ｉｎｔｅｒｎｅｔ  ｏｆ  Ｔｈｉｎｇｓ（ＮＢ−ＩｏＴ）、ＷｉＦｉ、Ｂｌｕｅｔｏｏｔｈ（登録商標）などの、他の無線アクセス技術（ＲＡＴ）に適用されることができる。
【００５６】
いくつかの実施形態では、限定的ではない用語「ユーザ機器装置（ＵＴ）」が使用される。本明細書においてＵＥはネットワークノードまたは他のＵＥと無線信号を介して通信する能力を有する任意のタイプの無線機器でありうる。ＵＥは、無線通信デバイス、ターゲットデバイス、Ｄｅｖｉｃｅ−ｔｏ−Ｄｅｖｉｃｅ（Ｄ２Ｄ）ＵＥ、マシンタイプＵＥまたはＭａｃｈｉｎｅ−ｔｏ−Ｍａｃｈｉｎｅ（Ｍ２Ｍ）通信が可能なＵＥ、ＵＥを備えるセンサ、ｉＰＡＤ（登録商標）、タブレット、移動端末、スマートフォン、ラップトップ組み込み機器（ＬＥＥ）、ラップトップ搭載機器（ＬＭＥ）、ユニバーサルシリアルバス（ＵＳＢ）ドングル、顧客宅内機器（ＣＰＥ）などであってもよい。
【００５７】
また、いくつかの実施形態において、一般用語「ネットワークノード」が使用される。これは任意の種類のネットワークノードであってもよく、基地局、無線基地局、ネットワークコントローラ、ベース送受信ステーション、基地局コントローラ、ネットワークコントローラ、拡張または発展型Ｎｏｄｅ  Ｂ（ｅＮＢ）、Ｎｏｄｅ  Ｂ、マルチセル／マルチキャスト協調エンティティ（ＭＣＥ）、リレーノード、アクセスポイント、無線アクセスポイント、リモート無線ユニット（ＲＲＵ）のリモート無線ヘッド（ＲＲＨ）、コアネットワークノード（例えばモビリティマネジメントエンティティ（ＭＭＥ）、自己組織化ネットワーク（ＳＯＮ）ノード、協調ノード、測位ノード、ドライブテストの最小化（ＭＤＴ）ノードなど）、または外部ノード（例えば第三者ノードもしくは現在のネットワークの外部にあるノード）などを含んでもよい。
【００５８】
いくつかの実施形態において、一般用語であるプライマリセル（ＰＣｅｌｌ）、プライマリセカンダリセル（ＰＳＣｅｌｌ）、およびセカンダリ（サービング）セル（ＳＣｅｌｌ）が使用される。これらの用語は、所定のＵＥが使用されるために設定されるサービング（サービス提供）セルの異なる種類を参照しうる。これらの用語のために使用されうる他の用語は、それぞれプライマリコンポーネントキャリア（ＰＣＣ）、プライマリセカンダリコンポーネントキャリア（ＰＳＣＣ）、セカンダリコンポーネントキャリア（ＳＣＣ）である。
【００５９】
本明細書で使用される用語「無線ノード」はＵＥまたは無線ネットワークノードを指すために使用されうる。
【００６０】
実施形態は、ＵＥがデータを２つ以上のサービングセルから受信および／または送信できるマルチキャリアまたはキャリアアグリゲーション（ＣＡ）動作と同様に、シングルキャリアにも適用可能である。用語「ＣＡ」は、「マルチキャリアシステム」、「マルチセル動作」、「マルチキャリア動作」および「マルチキャリア」送信および／または受信とも（例えば区別することなく）呼ばれる。ＣＡにおいて、コンポーネントキャリアのうちの１つはＰＣＣまたは単純にプライマリキャリアもしくはアンカーキャリアである。残りのものはＳＣＣまたは単純にセカンダリキャリアもしくは補助キャリアと呼ばれる。サービングセルは区別することなくＰＣｅｌｌまたはプライマリサービングセル（ＰＳＣ）と呼ばれる。同様に、セカンダリサービングセルは区別することなくＳＣｅｌｌまたはセカンダリサービングセル（ＳＳＣ）と呼ばれる。
【００６１】
デュアルコネクティビティ（ＤＣ）動作において、ＵＥはマスターｅＮＢ（ＭｅＮＢ）およびセカンダリｅＮＢ（ＳｅＮＢ）と呼ばれる少なくとも２つのノードによってサービスを提供されうる。より一般的には、複数接続（別名マルチコネクティビティ）動作において、ＵＥは、例えばＭｅＮＢ、ＳｅＮＢ１、ＳｅＮＢ２、およびそのような２以上のノードによってサービスを提供されうる。ＵＥはＭｅＮＢおよびＳｅＮＢの両方からＰＣＣで設定される。ＭｅＮＢおよびＳｅＮＢからのＰＣｅｌｌはそれぞれＰＣｅｌｌおよびＰＳＣｅｌｌと呼ばれる。ＰＣｅｌｌおよびＰＳＣｅｌｌは典型的には個別にＵＥを動作させる。ＵＥはＭｅＮＢおよびＳｅＮＢのそれぞれから１つ以上のＳＣＣで設定される。ＭｅＮＢおよびＳｅＮＢによってサービスを提供される対応するＳＳＣはＳＣｅｌｌと呼ばれる。ＤＣのＵＥは、典型的には、ＭｅＮＢおよびＳｅＮＢの接続のそれぞれに対して個別の送信器／受信器（ＴＸ／ＲＸ）を有する。これによって、ＭｅＮＢおよびＳｅＮＢが、例えば無線リンクモニタリング（ＲＬＭ）、間欠受信（ＤＲＸ）サイクルなど、ＰＣｅｌｌおよびＰＳＣｅｌｌのそれぞれにおける１つ以上の手順でＵＥを独立して設定することを可能とする。この方法および実施形態はＣＡ、ＤＣ、およびマルチコネクティビティ（ＭＣ）に適用可能である。
【００６２】
本明細書で使用される用語「シグナリング」は、上位レイヤシグナリング（例えば無線リソース制御（ＲＲＣ）を介して）、下位レイヤシグナリング（例えば物理制御チャネルまたはブロードキャストチャネルを介して）、またはこれらの組み合わせ、のいずれかを含んでもよい。シグナリングは明示的であってもよいし暗示的であってもよい。シグナリングはさらに、ユニキャスト、マルチキャスト、またはブロードキャストであってもよい。シグナリングは、他のノードのへの直接であってもよく、第三ノードを介したものであってもよい。
【００６３】
ディスカバリ参照シンボル（ＤＲＳ）または探索（またはディスカバリ）信号という用語は、１つ以上の測定を実行するための、ＵＥによって使用されうる任意の種類の参照信号を含んでもよい。ＤＲＳの例は、共通参照シンボル（ＣＲＳ）、チャネルステート情報参照シンボル（ＣＳＩ−ＲＳ）、プライマリ同期信号（ＰＳＳ）、セカンダリ同期信号（ＳＳＳ）、マルチキャストブロードキャスト単一周波数ネットワーク参照シンボル（ＭＢＳＦＮ  ＲＳ）などである。１つ以上のＤＲＳは同一のＤＲＳ時間リソースで送信されてもよい。ＤＲＳの時間リソースの例は、シンボル、サブフレーム、スロット等である。
【００６４】
本明細書で使用される用語Ｌｉｓｔｅｎ−Ｂｅｆｏｒｅ−Ｔａｌｋ（ＬＢＴ）は、キャリア上で信号を送信することを決定する前にキャリア上でノードによって実行されるキャリアセンス多元接続（ＣＳＭＡ）手順またはメカニズムの任意の種類に対応してもよい。ＣＳＭＡまたはＬＢＴは、クリアチャネル評価（ＣＣＡ）、クリアチャネル判定などと区別することなく呼ばれうる。ＬＢＴを課されるキャリア上での信号の送信は、コンテンションベースの送信とも呼ばれる。一方、ＬＢＴが課されないキャリア上での信号の送信は、コンテンションフリーの送信とも呼ばれる。
【００６５】
本明細書で使用される用語「時間リソース」は、時間の長さに関して表現された、任意のタイプの物理リソースまたは無線リソースに対応してもよい。時間リソースの例は、シンボル、タイムスロット、サブフレーム、無線フレーム、送信時間間隔（ＴＴＩ）、インタリーブ時間などである。
【００６６】
本明細書で使用される用語「送信タイミング差分」は、セルの任意の２グループ、すなわちセルのセットのアップリンク送信タイミングの差分に対応してもよい。各グループは１つ以上のセルを含んでいてもよい。各グループは、グループ内の特定のセルのタイミングであってもよく、２つ以上のセルの送信タイミングの関数である１つの共通アップリンク送信タイミングを有することを想定される。関数の例は、最小値、最大値、平均、ｘパーセンタイルなどである。グループのタイミングは、典型的にはＵＥによって遂行されるアップリンクタイミング調整に基づく。ＵＥは以下の原理、ネットワークノードから受信したタイミングアドバンス（ＴＡ）コマンド、他のＵＥから受信したＴＡコマンド、ダウンリンクセルタイミングに基づくＵＥによる自律調整、別のＵＥのダウンリンクタイミングに基づくＵＥによる自律調整、１つ以上の外部のタイミング参照ソースのタイミングに基づくＵＥによる自律調整など、のうちの１つ以上に基づいてタイミングを調整してもよい。外部参照ソースの例は、グローバルナビゲーション衛星システム（ＧＮＳＳ）（例えばグローバルポジショニングシステム（ＧＰＳ））のようなナビゲーション衛星、ビーコンなどである。共通送信タイミングを有するセルのグループの例は、プライマリＴＡＧ（ｐＴＡＧ）、セカンダリＴＡＧ（ｓＴＡＧ）、プライマリセカンダリＴＡＧ（ｐｓＴＡＧ）などのＴＡグループ（ＴＡＧ）である。送信タイミング差分は区別することなく、例えば２つのｓＴＡＧ間またはｐＴＡＧとｓＴＡＧ間のようなＴＡＧ間の時間差分とも呼ばれる。
【００６７】
＜既存のソリューションの問題＞
既存のソリューションには、少なくとも以下の問題が想定されうる。ＵＥが実行するアップリンクＬＢＴに対して、例えこの場合には無線周波数（ＲＦ）に問題がなくても、アップリンクＬＢＴの失敗（すなわち、ＵＥがＬＢＴの後にチャネルにアクセスできない）に起因してアップリンク送信が実際には送信されない場合であっても、現在、送信タイミング差分は計算される。さらに、アップリンクＬＢＴの失敗に起因してアップリンク送信が実際には送信されていない場合に送信タイミング差分を計算することは、別のセルにおけるＵＥが送信を停止するよう導きうる（すなわち、アップリンクＬＢＴに起因して一方のセルでは送信されず、送信タイミング差分の不適切な計算に起因して他方のセルでも送信されない）。ＵＥにとって不要な場合に送信タイミング差分を推定することはリソースの消費である。
【００６８】
＜提案するソリューションの概要＞
本明細書には少なくとも以下の実施形態が説明される。
【００６９】
ＵＥにおける方法は、
・ステップ１００（選択的）：ｆ１およびｆ２の少なくともいずれかでＣＣＡ（例えばＬＢＴ）を実行する必要がありうる、キャリア周波数ｆ１のセル１とキャリア周波数ｆ２のセル２とを含むセルのペアについて送信タイミング差分Δのための少なくとも１つの要件および／または条件を取得することと、
・ステップ１０２（選択的）：ｆ１およびｆ２の少なくとも１つでＣＣＡ（例えばＬＢＴ）を実行する必要がありうる、キャリア周波数ｆ１のセル１とキャリア周波数ｆ２のセル２とを含むセルの少なくとも１つのペアについて送信タイミング差分Δの判定の必要性を判定することと、
・ステップ１０４：セル１およびセル２のそれぞれで第１のチャネルおよび第２のチャネルがアップリンク信号の送信のために利用可能である場合に送信タイミング差分Δを判定することと、
・ステップ１０６：ＬＢＴを考慮しながら、判定された送信タイミング差分ΔをＵＥの１つ以上の動作タスクのために使用することと、
のステップを含む（図２参照）。
【００７０】
ネットワークノードにおける方法は、
・ステップ２００セル１およびセル２のそれぞれで第１のチャネルおよび第２のチャネルがアップリンク信号の送信のために利用可能である場合に、セル／キャリアのペアに対する送信タイミング差分Δに関する要件または条件を取得することと、
・ステップ２０２送信タイミング差分Δが閾値を超えるリスクを避けるまたは減らすために、セル／キャリアの少なくとも１つがアップリンクのＣＣＡ（例えばアップリンクＬＢＴ）を課す場合、取得した要件の送信タイミング差分Δまたは適用性に影響を与える１つ以上のファクタを制御することと、
のステップを含む（図３参照）。
【００７１】
＜提案ソリューションの利点＞
説明される実施形態には少なくとも以下の利点が想定できる。ＵＥがＬＢＴを実行する場合に、送信タイミング差分Δの不適切な計算に起因する不必要な送信ロス。セルのうちの少なくとも１つにＬＢＴ障害がある場合、ＵＥはセル間の送信タイミング差分Δを推定する必要がないため、ＵＥの処理および複雑さが減少する。セルのうちの少なくとも１つにＬＢＴ障害がある場合、ＵＥはセル間の送信タイミング差分Δを推定する必要がないため、ＵＥの電力消費は低減される。
【００７２】
＜ＵＥにおける方法＞
図２に示すように、ＵＥにおける方法は、
・ステップ１００（選択的）ｆ１およびｆ２の少なくとも１つでＣＣＡ（例えばＬＢＴ）を実行する必要がありうる、キャリア周波数ｆ１のセル１とキャリア周波数ｆ２のセル２とを含むセルのペアについて送信タイミング差分Δのための少なくとも１つの要件および／または条件を取得することと、
・ステップ１０２（選択的）ｆ１およびｆ２の少なくとも１つでＣＣＡ（例えばＬＢＴ）を実行する必要がありうる、キャリア周波数ｆ１のセル１とキャリア周波数ｆ２のセル２とを含むセルの少なくとも１つのペアについて送信タイミング差分Δの判定の必要性を判定することと、
・ステップ１０４セル１およびセル２のそれぞれで第１のチャネルおよび第２のチャネルが信号の送信のために利用可能である場合に送信タイミング差分Δを判定することと、
・ステップ１０６ＬＢＴを考慮しながら、判定された送信タイミング差分ΔをＵＥの１つ以上の動作タスクのために使用することと、
のステップを含む。
【００７３】
＜ステップ１００＞
例示的な要件は、最大の送信タイミング差分Δまたは送信タイミング差分Δに関する閾値である。例示的な条件は、例えば、キャリアタイプ（例えばアンライセンス）、２つのキャリアのキャリアコンビネーションのタイプ（例えばバンド内またはバンド間）、送信タイミング差分Δに関するＵＥの能力、セル１および／またはセル２における送信のためのチャネルの利用可能性、チャネル占有時間（例えば、ＵＥのチャネル占有率に応じて異なる要件が適用されうる）などである。
【００７４】
要件または条件は、例えば以下の１つ以上によって取得されうる。
・所定のルールに基づいて判定することと、
・ＵＥの能力に基づいて判定することと、
・ＵＥのＣＡ設定に基づいて判定することと、
・ＵＥがデュアル（またはマルチ）コネクティビティがあるか否かに基づいて判定することと、
・ＵＥの選択に基づいて判定することと、
・ＵＥの性能目標に基づいて判定することと、
・所定の要件または条件を使用することと、
・例えばルールに基づいて要件または条件のセットから要件または条件を選択することと、
・別のノードから受信することと、
・例えば所定の要件または条件にオフセットを適用することにより参照の要件または条件から導出すること。
【００７５】
＜ステップ１０２＞
本ステップにおいて、キャリア周波数ｆ１のセル１とキャリア周波数ｆ２のセル２とを含むセルの少なくとも１つのペアであって、ＵＥはｆ１およびｆ２の少なくとも１つでＣＣＡ（例えばＬＢＴ）を実行する必要がありうる、少なくとも１つのペアに対する、送信タイミング差分Δの判定の必要性を判定してもよい。本開示を読めば当業者には理解されるように、ＣＣＡは特定の実施に応じてｆ１および／またはｆ２に対して実行される必要がある。この要件は、規制当局または期間、規格、および／または類似のものによってなされてもよい。しかしながら、この要件を満たすかどうかはＵＥ次第である。言い換えると、ＵＥはハードウェアの観点からは制限されないが、要件を満たすよう動作するようにプログラムされるか、そうでなければ設計されてもよい。セル１およびセル２は、各グループは個別であるが、各グループで１つの共通アップリンク送信タイミングに関連付けられる、異なるグループに属してもよい。例えば、セル１およびセル２は例えばｓＴＡＧ１およびｓＴＡＧ２などの異なるＴＡＧに属してもよい。
【００７６】
ステップ１００で取得された要件または条件はステップ１０２で使用されてもよい。
【００７７】
ＵＥは、例えば、
・アップリンクＬＢＴ障害に起因して送信が明らかに不可能である場合に（すなわち、アップリンクＬＢＴの結果が既知である）必要としないことと、
・ＵＥが送信できるまでのバックオフまたはアップリンクＬＢＴ障害の後の繰り延べ時間に起因して送信が明らかに不可能である場合に必要としないことと、
・センシング時間の間、ＵＥが同一のキャリアを送信およびセンシングできない場合に必要としないことと、
・アップリンクＬＢＴ障害に起因して送信が不可能であってもよい場合（すなわち、ＬＢＴの結果が不確定である場合）に必要としないことと、
・アップリンクＬＢＴ失敗（例えば、統計値に基づく予測、またはチャネル占有率の測定もしくは類似のものに基づいてＬＢＴ失敗の確率が閾値を超えているか、および／もしくはＬＢＴの成功が閾値を下回るかという推定すること）に起因して送信が不可能である可能性が高い場合に必要としないことと、
・アップリンクＬＢＴの後に送信が間違いなく可能である（すなわち、アップリンクＬＢＴの結果が既知であり、例えば同一のサブフレームまたはチャネル保持時間全体にわたってアップリンクＬＢＴが成功する）場合に必要とすることと、
・第１の要件または条件がステップ１００で取得された場合には必要とし、第２の要件または条件がステップ１００で取得された場合には必要としないことと、
・アップリンクＬＢＴの後に送信が可能であってもよい（すなわち、アップリンクＬＢＴの結果が不確定である）場合に必要とすることと、
・アップリンクＬＢＴ障害の後に送信が可能である可能性が高い（すなわち、アップリンクＬＢＴの結果が不確定であるが、例えば統計に基づく予測、または、チャネル占有率の測定値または同様のものに基づいて、ＬＢＴの成功の確率が閾値を上回るおよび／またはＬＢＴ障害が閾値を下回ると推定したことから、アップリンクＬＢＴの成功の可能性が高い）場合に必要としないことと、
・最大送信タイミング差分Δの要件は、アップリンクＬＢＴに関して特定のサブフレームに適用可能ではなく（例えば、繰り延べもしくはＵＥが送信することが許可される時間までのバックオフタイムの間にアップリンクＬＢＴが失敗したとき、少なくともセルまたはキャリアのうちの１つにおいてＵＥがチャネル利用不可能であるためにスケジュールされた送信であっても送信できないため）、更に送信タイミング差分Δを判定する必要としないことと、
・時間リソースの最後のＸ個内で２つの異なるグループのセルの送信タイミング差分ΔがＵＥによって推定された、あるいは推定される必要がある場合に必要としないことと、
・２つの異なるグループのセルのうちの少なくとも１つにおける送信時間が、例えばＹ１ナノ秒（ｎｓ）またはＸ１マイクロ秒（μｓ）などの送信タイミング差分の最後の推定から所定のマージンだけ変化した場合に必要とすることと、
・２つの異なるグループのセルのうちの何れかのダウンリンク受信タイミングが、例えばＹ２ナノ秒またはＸ２マイクロ秒などの送信タイミング差分の最後の推定から所定のマージンだけ変化した場合に必要とすることと、
・ＵＥが、２つの異なるグループのセルのうちの何れかのセルにおける信号の送信タイミングの調整のための新たなＴＡコマンドを受信した場合に必要とすることと、
のうちの１つ以上を判定する。
【００７８】
＜ステップ１０４＞
このステップでは、ＵＥは送信タイミング差分Δを判定する。
【００７９】
ステップ１００の結果はステップ１０４で使用されてもよい。
【００８０】
送信タイミング差分Δを判定することは、例えば、
・その必要性を判定することに応じて送信タイミング差分Δを判定すること（ステップ１０２を参照）と、
・アップリンクＬＢＴの結果であって、ＵＥがチャネルアクセスを得た、すなわちアップリンクＬＢＴが成功したという結果を知った後に、送信タイミング差分Δを判定することと、
・アップリンクＬＢＴの結果であって、否定的である結果を知った後に、送信タイミング差分Δを判定しないことと、
・繰り延べ時間の間またはバックオフタイムの間（チャネルが利用できない、またはＵＥが送信できないため）、送信タイミング差分Δを判定しないことと、
・アップリンクＬＢＴの結果を知る前に、送信タイミング差分Δを判定しないことと、
・セルのペアのチャネル占有時間の間、すなわちＵＥがセル１およびセル２の両方でアップリンク信号の送信のためのチャネルへのアクセスを有している間の期間に、送信タイミング差分Δを判定することと、
・セルのペアのチャネル占有時間の間、およびＵＥがセル１およびセル２においてアップリンク信号を実際に送信する場合に、送信タイミング差分Δを判定することと、
・セルのペアのチャネル占有時間の間、ＵＥが２つの異なるセルグループのうちのいずれかのセルにおける信号の送信タイミングを調整するための新たなＴＡコマンドを受信した場合、そしてＵＥがセル１およびセル２においてアップリンク信号を実際に送信した場合に、送信タイミング差分Δを判定することと、
・セル／キャリアのペアであって、それらの少なくとも１つがアンライセンスキャリアであり、ＬＢＴを必要とするペアに対して、ＵＥは、送信タイミング差分Δが判定される時間を、アップリンクＬＢＴ（例えばチャネル保持時間の間）の既知の肯定的な結果をもつサブフレームに適合してもよい。ただ１つのセル／キャリアがＬＢＴを課す場合、そのセルに関して適合が行われる。両方のセル／キャリアがＬＢＴを課す場合、送信タイミング差分Δが両方のセル／キャリアに対するアップリンクＬＢＴ（例えば重複するチャネル保持時間の間）の既知の肯定的な結果をもつ時間の間に、送信タイミング差分Δが判定されるように、適合が行われる。適合はステップ１００の結果に依存してもよく、例えば第１の要件が取得されたか否かまたは第２の要件が取得されたか否かに従って直接的に実行されうることと、
を含む１つ以上の条件が課されてもよい。
【００８１】
＜ステップ１０６＞
本ステップでは、ＵＥは１つ以上のＵＥの動作タスクであって、例えば、
・判定した送信タイミング差分Δを、ステップ１００で取得した要件および／または条件と比較することと、
・Δが閾値より大きい場合、ＵＥはセル１における送信を停止してもよい、および／または、例えば以下の
・最大の送信タイミング差分Δの要件が適用可能であり、適用性はＬＢＴに関連し、
・少なくともセル１はアンライセンスバンドであり、ＬＢＴを要求し、
・スケジュールされたセル２の送信は、アップリンクＬＢＴによって占有されない、
のうちの１つ以上が適用された場合に、セル１のタイミングの更新を停止してもよいことと、
・Δが閾値より大きい場合、ＵＥは、セル１の送信を停止するおよび／またはセル１のためのタイミングの更新を停止するが、セル１はＬＢＴを課すがセル２は課さない場合にはセル２は停止しなくてもよいことと、
・送信タイミング差分ΔがアップリンクＬＢＴの前に判定される場合、ＵＥはΔを落とすまたは無視することと、
・Δが閾値より大きい場合、ＵＥはセル１が設定されるまたは属するＴＡＧに関連付けられるｔｉｍｅＡｌｉｎｇｍｅｎｔＴｉｍｅｒ（ＴＡＴ）を停止しうる。ＴＡＴの停止はタイマのリセットまたはタイマの初期化によって実現されうる。この場合、ＵＥのメディアアクセス制御（ＭＡＣ）エンティティは、このサービングセル（すなわちセル１）が属するＴＡＧに関連付けられたＴＡＴが実行されていない場合に、ランダムアクセスプリアンブルの送信を除き、セル１でのいかなるアップリンク送信も実行しなくてもよいことと、
・Δが閾値より大きい場合、ＵＥは、ＵＥが上述したタスクのうちの任意の１つ以上を実行したこと、例えばセル１の送信を停止した、セル１のためのタイミングの更新を停止した、セル１を含むＴＡＧのためのＴＡＴを停止したこと、などをネットワークノードに通知しうることと、
・Δが閾値より大きい場合、ＵＥは例えばセル１およびセル２のための新たなサブフレームペアを構成し、セル１とセル２との間のタイミング関係を再設定しうることと、
のうちの１つ以上の動作タスクに対して、判定した送信タイミング差分を用いてもよい。
【００８２】
＜ネットワークノードの方法＞
図３に示すように、ネットワークノードの方法は、
・ステップ２００：セル１およびセル２のそれぞれで第１のチャネルおよび第２のチャネルが信号の送信のために利用可能である場合に、セル／キャリアのペアに対する送信タイミング差分Δに関する要件または条件を取得することと、
・ステップ２０２：送信タイミング差分Δが閾値を超えるリスクを避けるまたは減らすために、セル／キャリアの少なくとも１つがアップリンクのＣＣＡ（例えばアップリンクＬＢＴ）を課す場合、取得した要件の送信タイミング差分Δまたは適用性に影響を与える１つ以上のファクタを制御することと、
のステップを含む（図３参照）。
【００８３】
＜ステップ２００＞
例えばバンド内およびバンド間またはＤＣの有無で、異なる要件があってもよい。
【００８４】
上述したＵＥの実施形態のステップ１００におけるさらに例示的な要件および条件を参照されたい。
【００８５】
要件または条件は、例えば以下の１つ以上によって取得されてもよい：
・所定のルールに基づいて判定することと、
・ＵＥの能力に基づいて判定することと、
・（例えばＵＥによって指示される）ＵＥの選択に基づいて判定することと、
・ＵＥの性能目標に基づいて判定することと、
・所定の要件または条件を使用することと、
・例えばルールに基づいて要件または条件のセットから要件または条件を選択することと、
・別のノードから受信することと、
・例えば所定の要件または条件に対するオフセットを適用することにより参照要件または条件を導出すること。
【００８６】
＜ステップ２０２＞
制御することは、例えば以下の１つ以上を含みうる：
・アップリンク送信のためのスケジューリングを、例えばｆ１およびｆ２上での同時送信のスケジューリングを避けるように適合させることと、
・関連するアップリンク送信（例えば物理アップリンク制御チャネル（ＰＵＣＣＨ）上で送信される肯定応答／否定応答（ＡＣＫ／ＮＡＣＫ））の時間を制御するためにダウンリンク送信のスケジューリングを適合させることと、
・（ネットワークがＵＥのＬＢＴをある程度制御している場合に）アップリンクＬＢＴ設定に関する少なくとも１つのパラメータを適合させることと、
・満たすことが困難な要件を適用不可能にするために、１つ以上のファクタを変化することをさらに含みうる適用性を制御すること（例えば、最大送信タイミング差分Δは、ＬＢＴの結果としてチャネルが利用可能であり、実際の送信が同時に生じる場合に適用されてもよく、送信の時間的なずれは要件を適用不可能にし、より大きな送信タイミング差分Δでの異なる時間における送信は問題にはならなくてもよい）。
【００８７】
制御はまた、たとえば送信タイミング差分Δが閾値を超えないことを確実にするために、送信タイミング差分Δが最大送信タイミング差分Δに近づく、または閾値を超える場合にトリガされてもよい。
【００８８】
＜例示的なシステムおよびノードアーキテクチャ＞
図４は、本開示の実施形態が実施されうるセルラ通信ネットワークの一例を示す。しかしながら、図４は単なる例であることに留意されたい。図示するように、セルラ通信ネットワーク１０は、この例では対応するセル１６にサービスを提供する複数の基地局１４（例えばｅＮＢ）を含む複数の無線アクセスノードを含む無線アクセスネットワーク（ＲＡＮ）１２を含む。セル１６に位置するＵＥ１８は基地局１４と無線信号を送受信する。基地局１４は複数のコアネットワークノードを含むコアネットワーク２０に接続される。コアネットワークノードは、例えば、１つ以上のＭＭＥ２２、１つ以上のサービングゲートウェイ（Ｓ−ＧＷ）２４、および１つ以上のパケットデータネットワーク（ＰＤＮ）ゲートウェイ（Ｐ−ＧＷ）２６を含みうる。
【００８９】
図４の例では２つのみのセルが示されているものの、セルラ通信ネットワーク１０は多数のセル１６を含んでもよい。さらに、本明細書で説明したように、特定のＵＥ１８は、少なくともそのうちのいくつかがＬＢＴを要求しうる（例えばアンライセンススペクトラムにある）複数セル上で動作してもよい。
【００９０】
図５は本開示のいくつかの実施形態に係るネットワークノード２７の概略ブロック図を示す。例えば、ネットワークノード２７は、例えば図４の基地局１４のような無線アクセスノード、または例えば図４のコアネットワーク２０のノードのようなコアネットワークノードであってもよい。図示したように、ネットワークノード２７は１つ以上のプロセッサ３０（例えば中央処理ユニット（ＣＰＵ）、特定用途向け集積回路（ＡＳＩＣ）、Ｆｉｅｌｄ  Ｐｒｏｇｒａｍｍａｂｌｅ  Ｇａｔｅ  Ａｒｒａｙ（ＦＰＧＡ）、および／またはそのようなもの）、メモリ３２、およびネットワークインタフェース３４を含む制御システム２８を含む。加えて、ネットワークノード２７が無線アクセスノードである場合、ネットワークノード２７は、１つ以上のアンテナ４２に結合される１つ以上の送信器３８および１つ以上の受信器４０をそれぞれ含む１つ以上の無線ユニット３６を含む。いくつかの実施形態では、無線ユニット３６は、制御システム２８の外部にあり、制御システム２８へ例えば有線接続（例えば光ケーブル）を介して接続される。しかしながら、いくつかの他の実施形態では、無線ユニット３６および潜在的にアンテナ４２は、ともに制御システム２８に統合される。１つ以上のプロセッサ３０は本実施形態で説明されるようにネットワークノードの１つ以上の機能を提供するよう動作する。いくつかの実施形態では、機能は、例えばメモリ３２に格納されたソフトウェア内に実施され、１つ以上のプロセッサ３０によって実行される。
【００９１】
図６は本開示のいくつかの実施形態に係るネットワークノード２７の仮想化された実施形態を示す概略ブロック図を示す。この議論は他のタイプの無線アクセスノードに等しく適用可能である。さらに、他のタイプのネットワークノードは類似の仮想的なアーキテクチャを有してもよい。
【００９２】
本明細書で使用されるように、「仮想化された」ネットワークノード（例えば仮想化された基地局または仮想化された無線アクセスノード）は、ネットワークの少なくとも一部の機能が、（例えばネットワークにおける物理処理ノード上で実行される仮想マシンを介した）仮想コンポーネントとして実施されるネットワークノードの実施である。図示するように、本例では、ネットワークノード２７は、１つ以上のプロセッサ３０（例えばＣＰＵ、ＡＳＩＣ、ＦＰＧＡ、および／または類似のもの）、メモリ３２、およびネットワークインタフェース３４を含む制御システム２８、ならびにネットワークノードのタイプによっては、上述したように１つ以上のアンテナ４２に結合される１つ以上の送信器３８および１つ以上の受信器４０をそれぞれが含む１つ以上の無線ユニット３６を含む。制御システム２８は例えば光ケーブルなどのものを介して無線ユニット３６に接続される。制御システム２８は、ネットワークインタフェース３４を介してネットワーク４６の一部として結合または含められた１つ以上の処理ノード４４に接続される。各処理ノード４４は、１つ以上のプロセッサ４８（例えばＣＰＵ，ＡＳＩＣ，ＦＰＧＡ、および／または同様のもの）、メモリ５０、およびネットワークインタフェース５２を含む。
【００９３】
本例において、本明細書で記載されたネットワークノードの機能５４（例えば図３に関して上述したネットワークノードの機能）は、任意の所望の方法によって、１つ以上の処理ノード４４で実施され、または制御システム２８および１つ以上の処理ノード４４に分散される。いくつかの特定の実施形態において、本明細書に記載されるネットワークノード２６のいくつかまたは全ての機能５４は、処理ノード４４によってホストされる仮想環境に実施される１以上の仮想マシンによって実行される仮想コンポーネントとして実施される。当業者にとって、処理ノード４４および制御システム２８の間の付加的なシグナリングおよび通信は、所望の機能５４のうちの少なくともいくつかを実行するために使用されることは理解されたい。なお、いくつかの実施形態において、制御システム２８は含まれなくてもよく、そのような場合、無線ユニット３６は適切なネットワークインタフェースを介して処理ノード４４と直接通信する。さらに、ネットワークノード２７が無線アクセスノードではない（例えばコアネットワークノード）実施形態において、ネットワークノード２７は全体的に仮想化されてもよい（すなわち、制御システム２８や無線ユニット３６はなくてもよい）。
【００９４】
いくつかの実施形態では、少なくとも１つのプロセッサによって実行される際に、少なくとも１つのプロセッサに本明細書で説明される実施形態の何れかに係る仮想環境におけるネットワークノードの１つ以上の機能を実施するネットワークノードまたはノード（例えば処理ノード）の機能を実行させる、命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えばメモリのような非一時的なコンピュータ可読媒体）のうちの１つである。
【００９５】
図７は本開示のいくつかの他の実施形態に係るネットワークノード２７の概略ブロック図を示す。ネットワークノード２７は１つ以上のモジュール５６を含み、それぞれはソフトウェアに実施される。モジュール５６は本明細書で説明されるネットワークノード２７の機能を提供する。例えば、モジュール５６は図３に関して上述したネットワークノード２７の動作を実行する１つ以上のモジュール（例えば、ステップ２００を実行する取得モジュール５６−１およびステップ２０２を実行する制御モジュール５６−２）を含んでもよい。
【００９６】
図８は本開示のいくつかの実施形態に係るＵＥ１８の概略ブロック図を示す。図示するように、ＵＥ１８は、１つ以上のプロセッサ５８（例えばＣＰＵ、ＡＳＩＣ、ＦＰＧＡ、および／または同種のもの）、メモリ６０、および１つ以上のアンテナ６８に結合される１つ以上の送信器６４および１つ以上の受信器６６をそれぞれ含む１つ以上の送受信器６２を含む。いくつかの実施形態では、（例えば図２に関して）上述されたＵＥ１８の機能は、例えばメモリ６０に格納され、プロセッサ５８によって実行されるソフトウェアに全部または一部が実施されてもよい。
【００９７】
いくつかの実施形態では、少なくとも１つのプロセッサによって実行される際に、少なくとも１つのプロセッサに本明細書で説明される実施形態の何れかに係るＵＥ１８の機能を実行させる、命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えばメモリのような非一時的なコンピュータ可読媒体）のうちの１つである。
【００９８】
図９は本開示のいくつかの別の実施形態に係るＵＥ１８の概略ブロック図を示す。ＵＥ１８は１つ以上のモジュール７０を含み、それぞれはソフトウェアに実施される。一例として、いくつかの実施形態において、１つ以上のモジュール７０は、図２について上述した処理を実行するよう動作する１つ以上のモジュールを含む。例えば、モジュール７０は、図２のステップ１００を実行するよう動作する（選択的な）取得モジュール７０−１、図２のステップ１０２を実行するよう動作する（選択的な）第１の判定モジュール７０−２、図２のステップ１０４を実行するよう動作する第２の判定モジュール７０−３、および図２のステップ１０６を実行するよう動作する使用モジュール７０−４を含んでもよい。
【００９９】
それに限定されないが、本開示のいくつかの例示的実施形態が以下に提供される。
・実施形態１：ユーザ装置ＵＥ（１８）の動作方法であって、
ＵＥ（１８）において第１のセルおよび第２のセルのそれぞれで第１のチャネルおよび第２のチャネルが信号の送信のために利用可能である場合に送信タイミング差分Δを判定することと、
ＵＥ（１８）の１つ以上のオペレーションタスクのために送信タイミング差分Δを使用すること（１０６）と、
を含む方法。
・実施形態２：実施形態１の方法であって、第１のセルのうちの少なくとも１つは第１のキャリア上にあり、第２のセルは第２のキャリア上にあり、クリアチャネル評価ＣＣＡは、ＵＥ（１８）が送信することを許可される前に、第１のキャリアおよび第２のキャリアのうちの少なくとも１つで実行されなければならない方法。
・実施形態３：実施形態２の方法であって、第１のキャリア周波数上の第１のセルと第２のキャリア周波数上の第２のセルを含むセルの少なくとも１つのペアに対して、送信タイミング差分Δの判定の必要性を判定すること（１０２）をさらに含む方法。
・実施形態４：実施形態２または３の方法であって、第１のキャリア周波数の第１のセルおよび第２のキャリア周波数の第２のセルを含むセルのペアに対して、送信タイミング差分Δのための少なくとも１つの要件および／または条件を取得すること（１００）をさらに含む方法。
・実施形態５：実施形態４の方法であって、送信タイミング差分Δを判定すること（１０４）は、第１のキャリア周波数の第１のセルおよび第２のキャリア周波数の第２のセルを含むセルのペアに対して、送信タイミング差分Δのための少なくとも１つの要件および／または条件に基づいて、第１のセルおよび第２のセルのそれぞれで信号の送信のために第１のチャネルおよび第２のチャネルが利用可能である場合、送信タイミング差分Δを判定すること（１０４）を含む方法。
・実施形態６：セルラ通信ネットワーク（１０）のためのユーザ装置ＵＥ（１８）であって、
第１のセルおよび第２のセルのそれぞれで第１のチャネルおよび第２のチャネルが信号の送信のために利用可能である場合に送信タイミング差分Δを判定し、
ＵＥ（１８）の１つ以上のオペレーションタスクのために送信タイミング差分Δを使用する、
よう適合されるＵＥ（１８）。
・実施形態７：実施形態６のＵＥ（１８）であって、ＵＥ（１８）は、実施形態２乃至５の何れか１つの方法を実行するようさらに適合されるＵＥ（１８）。
・実施形態８：セルラ通信ネットワーク（１０）のためのユーザ装置ＵＥ（１８）であって、
１つ以上のプロセッサ（５８）と、
１つ以上のプロセッサ（５８）によって実行可能な命令であって、これによってＵＥ（１８）は、
第１のセルおよび第２のセルのそれぞれで第１のチャネルおよび第２のチャネルが信号の送信のために利用可能である場合に送信タイミング差分Δを判定し、
ＵＥ（１８）の１つ以上のオペレーションタスクのために送信タイミング差分Δを使用する、よう適合される前記命令を格納するメモリ（６０）と、を備えるＵＥ（１８）。
・実施形態９：セルラ通信ネットワーク（１０）のためのユーザ装置ＵＥ（１８）であって、
第１のセルおよび第２のセルのそれぞれで第１のチャネルおよび第２のチャネルが信号の送信のために利用可能である場合に送信タイミング差分Δを判定するよう動作可能な判定モジュール（７０−３）と、
ＵＥ（１８）の１つ以上のオペレーションタスクのために送信タイミング差分Δを使用するよう動作可能な使用モジュール（７０−４）と、
を備えるＵＥ（１８）。
・実施形態１０：セルラ通信ネットワーク（１０）におけるノード（１４）の動作方法であって、
ユーザ装置ＵＥ（１８）において、第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得すること（２００）と、
送信タイミング差分Δが所定の閾値を超えるリスクを避けるまたは減らすために、セル／キャリアのペアのうちの少なくとも１つがアップリンクのクリアチャネル評価（ＣＣＡ）を課す場合、送信タイミング差分Δもしくは１つ以上の要件もしくは１つ以上の条件の適用性に影響を与える１つ以上のファクタを制御すること（２０２）と、
を含む方法。
・実施形態１１：実施形態１０の方法であって、送信タイミング差分Δまたは１つ以上の要件もしくは１つ以上の条件の適用性に影響を与える１つ以上のファクタを制御すること（２０２）は、
アップリンク送信のスケジューリングを適合させることと、
第１のセルの第１のキャリア周波数および第２のセルの第２のキャリア周波数における同時送信のスケジューリングを避けるようアップリンク送信のスケジューリングを適合させることと、
関連するアップリンク送信の時間を制御するようにダウンリンク送信のスケジューリングを適合させることと、
アップリンクＣＣＡ設定に関連する少なくとも１つのパラメータを適合させることと、
適用性を制御することと、
１つ以上の要件のうちの少なくとも１つの適用性のための要件が適用不可能にされるように、１つ以上のファクタを変更することと、
のうちの１つ以上を含むことを特徴とする方法。
・実施形態１２：セルラ通信ネットワーク（１０）のノード（１４）であって、
第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得し、
送信タイミング差分Δが所定の閾値を超えるリスクを避けるまたは減らすために、セル／キャリアのペアのうちの少なくとも１つがアップリンクのクリアチャネル評価（ＣＣＡ）を課す場合、送信タイミング差分Δに、または１つ以上の要件もしくは１つ以上の条件の適用性に影響を与える１つ以上のファクタを制御する、
よう適合されるノード（１４）。
・実施形態１３：実施形態１２のノード（１４）であって、実施形態１１の方法を実行するようさらに適合されるノード（１４）。
・実施形態１４：セルラ通信ネットワーク（１０）のノード（２７）であって、
１つ以上のプロセッサ（３０、４８）と、
１つ以上のプロセッサ（３０、４８）によって実行可能な命令であって、これによってノード（２７）が、
第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得し、
送信タイミング差分Δが所定の閾値を超えるリスクを避けるまたは減らすために、セル／キャリアのペアのうちの少なくとも１つがアップリンクのクリアチャネル評価（ＣＣＡ）を課す場合、送信タイミング差分Δに、または１つ以上の要件もしくは１つ以上の条件の適用性に影響を与える１つ以上のファクタを制御する、
よう動作可能である命令を格納するメモリ（３２、５０）と、を備えるノード（１４）。
・実施形態１５：セルラ通信ネットワーク（１０）のノード（２７）であって、
第１のセルおよび第２のセルのそれぞれで第１のチャネルおよび第２のチャネルがアップリンク信号の送信のために利用可能である場合に、セル／キャリアのペアに対する送信タイミング差分Δに関する１つ以上の要件または１つ以上の条件を取得するよう動作可能な取得モジュール（５６−１）と、
送信タイミング差分Δが所定の閾値を超えるリスクを避けるまたは減らすために、セル／キャリアのペアのうちの少なくとも１つがアップリンクのクリアチャネル評価（ＣＣＡ）を課す場合、送信タイミング差分に、または１つ以上の要件もしくは１つ以上の条件の適用性に影響を与える１つ以上のファクタを制御するよう動作可能な制御モジュール（５６−２）と、
を備えることを特徴とするノード（２７）。
【０１００】
以下の略語は、本開示を通じて使用される。
・μｓ  マイクロ秒
・３ＧＰＰ  第三世代パートナーシッププロジェクト
・５Ｇ  第五世代
・ＡＣＫ  肯定応答
・ＡＳＩＣ  特定用途向け集積回路
・ＣＡ  キャリアアグリゲーション
・ＣＣ  コンポーネントキャリア
・ＣＣＡ  クリアチャネル評価
・ＣＰＥ  顧客宅内機器
・ＣＰＵ  中央処理装置
・ＣＲＳ  共通参照シンボル
・ＣＳＩ−ＲＳ  チャネル状態情報参照シンボル
・ＣＳＭＡ  キャリアセンス多元接続
・Ｄ２Ｄ  デバイス間
・ＤＣ  デュアルコネクティビティ
・ＤＲＳ  ディスカバリ参照シンボル
・ＤＲＸ  間欠受信
・ｅＮＢ  発展型または拡張型ノードＢ
・ＦＤＤ  周波数分割多重
・ＦＰＧＡ  Ｆｉｅｌｄ  Ｐｒｏｇｒａｍｍａｂｌｅ  Ｇａｔｅ  Ａｒｒａｙ
・ＦＳ３  フレーム構造タイプ３
・ＧＮＳＳ  グローバルナビゲーション衛星システム
・ＧＰＳ  グローバルポジショニングシステム
・ＬＡＡ  Ｌｉｃｅｎｓｅ  Ａｓｓｉｓｔｅｄ  Ａｃｃｅｓｓ
・ＬＢＴ  Ｌｉｓｔｅｎ−Ｂｅｆｏｒｅ−Ｔａｌｋ
・ＬＥＥ  ラップトップ組み込み機器
・ＬＭＥ  ラップトップ搭載機器
・ＬＴＥ  ロング・ターム・エボリューション
・Ｍ２Ｍ  マシン間
・ＭＡＣ  メディアアクセス制御
・ＭＢＳＦＮ  ＲＳ  マルチキャスト−ブロードキャスト単一周波数ネットワーク参照シンボル
・ＭＣ  マルチコネクティビティ
・ＭＣＥ  マルチセル／マルチキャスト協調エンティティ
・ＭＣＯＴ  最大チャネル占有時間
・ＭＤＴ  ドライブテストの最小化
・ＭｅＮＢ  マスター発展型または拡張型ノードＢ
・ＭＭＥ  モビリティマネジメントエンティティ
・ｍｓ  ミリ秒
・ＮＡＣＫ  否定応答
・ＮＢ−ＩｏＴ  狭帯域Ｉｎｔｅｒｎｅｔ  ｏｆ  Ｔｈｉｎｇｓ
・ｎｓ  ナノ秒
・ＮＸ  次世代第五世代無線アクセス技術
・ＰＣＣ  プライマリコンポーネントキャリア
・ＰＣｅｌｌ  プライマリセル
・ＰＤＮ  パケットデータネットワーク
・Ｐ−ＧＷ  パケットデータネットワーク・ゲートウェイ
・ＰＳＣ  プライマリサービングセル
・ＰＳＣＣ  プライマリセカンダリコンポーネントキャリア
・ＰＳＣｅｌｌ  プライマリセカンダリセル
・ＰＳＳ  プライマリ同期信号
・ｐｓＴＡＧ  プライマリセカンダリ・タイミングアドバンスグループ
・ｐＴＡＧ  プライマリ・タイミングアドバンスグループ
・ＰＵＣＣＨ  物理アップリンク制御チャネル
・ＲＡＮ  無線アクセスネットワーク
・ＲＡＴ  無線アクセス技術
・ＲＦ  無線周波数
・ＲＬＭ  無線リンクモニタリング
・ＲＲＣ  無線リソース制御
・ＲＲＨ  リモート無線ヘッド
・ＲＲＵ  リモート無線ユニット
・ＲＸ  受信器
・ＳＣＣ  セカンダリコンポーネントキャリア
・ＳＣｅｌｌ  セカンダリセル
・ＳｅＮＢ  セカンダリ発展型または拡張型ノードＢ
・Ｓ−ＧＷ  サービングゲートウェイ
・ＳＯＮ  自己組織化ネットワーク
・ＳＳＣ  セカンダリサービングセル
・ＳＳＳ  セカンダリ同期信号
・ｓＴＡＧ  セカンダリ・タイミングアドバンスグループ
・ＴＡ  タイミングアドバンス
・ＴＡＧ  タイミングアドバンスグループ
・ＴＡＴ  ｔｉｍｅＡｌｉｇｎｍｅｎｔＴｉｍｅｒ
・ＴＤＤ  時分割多重
・ＴＳ  技術仕様書
・ＴＴＩ  送信時間間隔
・ＴＸ  送信器
・ＵＥ  ユーザ装置
・ＵＳＢ  ユニバーサルシリアルバス
・ＵＴＲＡ  ユニバーサル地上無線アクセス
【０１０１】
当業者は、本開示の実施形態に対する改良および修正を認識するであろう。そのようなすべての改良および修正は、本明細書に開示された概念およびそれに続く特許請求の範囲の範囲内にあると見なされる。
【図１】
2019517211.tif 000003
【図２】
2019517211.tif 000004
【図３】
2019517211.tif 000005
【図４】
2019517211.tif 000006
【図５】
2019517211.tif 000007
【図６】
2019517211.tif 000008
【図７】
2019517211.tif 000009
【図８】
2019517211.tif 000010
【図９】
2019517211.tif 000011
【国際調査報告】
2019517211.tif 000012
2019517211.tif 000013
2019517211.tif 000014